(57)【要約】  本発明は、ユーザを位置決めするための装置に関していて、装置は、フレーム（１）と手段（７）とを包含し、フレーム（１）は、二つの位置決め参照点（５）を有し、前述のユーザが正しく位置決めされた場合に、各々は、ユーザの一つの目で見ることが出来るように配置され、手段（７）は、ユーザの各々の目と、対応する位置決め参照点との間の光路を生成し、前述の光路が、ユーザの目に関して、一方を他方からはっきりと識別する。
2007508610.tif 000002
【特許請求の範囲】
【請求項１】
ユーザの位置決め装置であって、前記ユーザが正しく位置決めする時に、ユーザのそれぞれの一つの目によって、各々を見ることが出来るように配置される、二つの位置決め標識（５、３１）を支持している台（１、３０）、及び前記ユーザの各々の目と、対応する位置決め標識との間の光路を形成する手段（７、３３、３４、３５）を包含し、前記光路が、前記ユーザの目に関して、互いに光学的に分離していることに特徴付けられる、ユーザ位置決め装置。
【請求項２】
前記光路を形成するための前記手段が、少なくとも部分的に反射するプリズムを包含し、前記プリズムが、前記ユーザの対応する目の方向へ、各々の位置決め標識を反射するために、それぞれの位置決め標識にほぼ向き合う表面（８、９）を有する方法で、前記位置決め標識（５）と前記プリズムとが、前記台（１）に装着されることに特徴付けられる、請求項1に記載の装置。
【請求項３】
前記光路を画定するための前記手段（３３、３４、３５）が、フィルタ手段を含むことに特徴付けられる、請求項1に記載の装置。
【請求項４】
前記フィルタ手段が、第一タイプの２つの偏光プリズム（３３．ａ、３５．ａ）と第二タイプの２つの偏光プリズム（３３．ｂ、３５．ｂ）とを包含し、前記第一タイプ偏光プリズム（３３．ａ、３５．ａ）が、前記位置決め標識の一つに割り当てられた前記第二タイプ偏光プリズムの正面に配置され、前記第二タイプ偏光プリズム（３３．ｂ、３５．ｂ）が、前記位置決め標識の別の一つに割り当てられた前記第一タイプ偏光プリズムの正面に配置されることに特徴付けられる、請求項3に記載の装置。
【発明の詳細な説明】
【技術分野】
【０００１】
本発明は、位置決め標識として両眼を使用することによって、ユーザを位置決めするための位置決め装置に関する。
【０００２】
一例として、このような位置決め装置は、ユーザの、顔又は目を認識するために使用される識別装置の正面に、ユーザの顔を位置決めするために使用される。
【背景技術】
【０００３】
目の虹彩によって個人を識別するための識別装置は、ユーザの虹彩の画像を撮るためのカメラを含む。虹彩の認識を可能にし、ユーザの識別を可能にするのに十分な画質を提供する画像を獲得するために、カメラに対して正しく位置決めすることが、ユーザの目に不可欠である。
【０００４】
かくして、ユーザ位置決め装置を識別装置と結びつけることが、考えられた。位置決め装置は、ユーザの位置を感知し、目に見える又は音声の指示を、ユーザに送り、それによって、もしも位置が正しくなければ、ユーザは位置の変更が出来る。
【０００５】
ユーザの位置決めを簡単にするために、位置決め装置は概ね、ユーザが各々の目の位置を調整すべき、目に見える標識をユーザにもたらす。不幸にも、幾人かの人々は、空間に照準を合わせるための優先的な目を所有する。これらの人々は、標識と彼ら自身を整列するために、潜在的に「利き目」のみを使用しようとする。これは悪い位置決めとなり、それによって、ユーザの虹彩の正確な画像を獲得することが不可能になる。したがって、このような位置決め装置は、このような人には使用できない。
【０００６】
この問題を解決するための、現時点で唯一の周知の解決策は、ユーザ自身が正しく位置決めすることを彼らに教えるために、ユーザを訓練することにある。しかし、この訓練は比較的時間が掛かり、もしも位置決め装置がしばらくの間使用されなければ、すぐに忘れられる。
【発明の開示】
【発明が解決しようとする課題】
【０００７】
静止しているユーザの目に関して、目を位置決め出来るように、カメラがモータ駆動する識別装置もまた存在する。しかし、このような装置は、比較的に複雑で高価である。さらに、カメラが間違った目を目標にするリスクが存在する。
【０００８】
本発明の目的は、ユーザを正確に位置決めすることを可能にする、手段を提供することである。
【課題を解決するための手段】
【０００９】
この目的のために、本発明は、二つの位置決め標識を支持している台、及びユーザの各々の目と対応する位置決め標識との間の光路を形成するための手段を包含する、ユーザ位置決め装置を提供し、二つの位置決め標識は、ユーザが正しく位置決めされた場合に、ユーザの目のそれぞれ一つによって、各々が見られるように配置されていて、光路は、ユーザの目に関して、互いが光学的に分離している。
【００１０】
このように、右目は、左目に対応する位置決め標識を見ることが出来ず、また逆も同様である。この結果、利き目の問題は、克服された。
【００１１】
第一の実施形態において、光路を形成する手段が、少なくとも部分的に反射するプリズムを包含し、プリズムが、ユーザの対応する目に向かって各々の位置決め標識を反射するように、それぞれの位置決め標識にほぼ向き合う表面を有する方法で、位置決め標識とプリズムとが、台に装着される。
【００１２】
装置は構造上、このように特に単純である。
【００１３】
第二の実施形態において、光路を画定するための手段が、好ましくは、第一タイプの二つの偏光プリズムと第二タイプの二つの偏光プリズムとを含むフィルタ手段を包含し、第一タイプの二つの偏光プリズムは、位置決め標識の一つに割り当てられた第二タイプの正面に配置され、第二タイプの二つの偏光プリズムは、第一タイプの正面にあって、位置決め標識の別の一つに割り当てられて、配置されている。
【００１４】
ユーザの目が、それらの対応する偏光プリズムと一直線上にある場合、ユーザは、両方の位置決め標識を見る。そうでなければ、ユーザの目の一つが、二つの異なるタイプの偏光プリズムと一直線上にあり、そのため、ユーザは、標識を見ることが出来ない。
【００１５】
本発明の別の特徴及び有用性は、本発明の以下に記述の、限定されない詳細な実施形態を読むことで明確になる。
【発明を実施するための最良の形態】
【００１６】
添付図面が、参照される。
【００１７】
本発明の位置決め装置は、ユーザの虹彩を認識することによって機能する、ユーザ識別装置に備え付けるものである。それ自体は周知の方法において、識別装置は、ユーザの虹彩の画像を獲得するためのカメラ１００と、画像処理装置とを含み、画像処理装置は、詳細には、ユーザの虹彩の代表的な特徴とユーザ本人であることを関連付けるデータベースを含む。各々のカメラ１００は、ユーザの虹彩の内の一つの、少なくとも一つの画像を処理装置に供給し、処理装置で、画像から代表的な特徴を抽出するような方法で画像が処理され、代表的な特徴が、データベースに収納されている代表的な特徴と比較される。
【００１８】
図1と2を参照して、本発明の第一実施形態を構成する位置決め装置は、全体的な表示を与える台１を含み、台１は概ねＵ字形状である。
【００１９】
台は、正面部分２を包含し、そこから、それぞれ向き合っている表面４．ａ、４．ｂを有する、右ウィングと左ウィング３．ａ、３．ｂが、延伸する。
【００２０】
右ウィング３．ａの表面４．ａは、点によって形成される位置決め標識５．ａと、正面部分２からの乖離を指し示す、水平に方向付けられた位置を変える矢印６．ａとを備える。左ウィング３．ｂの表面４．ｂもまた、点によって形成される位置決め標識５．ｂと、正面部分２からの乖離を指し示す、水平に方向付けられた位置を変える矢印６．ｂとを備える。
【００２１】
平面図の三角形部分で表示される反射プリズム７は、ウィング３．ａ、３．ｂの間の台１に装着される。反射プリズム７は、ウィング３．ａ、３．ｂに対して、角度をなす表面８、９を有する。二つの位置決めライン１０は、反射プリズム７の表面８、９に渡って水平方向に伸長する。
【００２２】
識別装置のカメラ１００は、反射プリズム７の対応する表面８、９によって反射される虹彩の画像を撮るために、ウィング３．ａ、３．ｂに装着される。
【００２３】
位置決め装置の正面に立つ時、ユーザは、反射プリズム７に記される二つの位置決めライン１０の間で、反射プリズム７の端部に位置する、点１１を見るように位置を取るべきである（図1と3を参照）。点は、ユーザの目で見られる位置決め標識５．ａ、５．ｂの画像を重ね合わせることによって、事実上構成される。
【００２４】
二つの位置決めライン１０は、正しい高さにユーザの頭部を位置決めすることを可能にする。もしも、点が、上の位置決めライン１０を越えて位置したならば、ユーザの頭部は、さらに下に位置決めされるべきであり、その逆も同様である。
【００２５】
もしも、ユーザが、右に寄り過ぎているならば、ユーザは、反射プリズム７の表面８で反射された位置を変える矢印６．ａの画像を見る。前述の矢印は、ユーザが、正しく位置決めするために動くべき方向を指示する。例えば、この場合に、ユーザは左へ動くべきである（図2と4を参照）。
【００２６】
逆に、もしも、ユーザの頭部が、左に寄り過ぎているならば、ユーザは、反射プリズム７の表面９で位置を変える矢印６．ｂの反射を見る。前述の矢印は、ユーザが、正しく位置決めするために、右に動くべきであることを指示している（図5を参照）。
【００２７】
反射プリズム７は、ユーザの右目と対応する位置決め標識６．ａとの間の光路１２．ａ（一点鎖線で示される）、及びユーザの左目と対応する位置決め標識６．ｂとの間の光路１２．ｂ（一点鎖線で示される）を形成するために役立つ。光路１２．ａと１２．ｂは、ユーザの目に関して、互いに光学的に分離される。従って、ユーザの左目で見られるようになっている位置決め標識５．ｂは、前述のユーザの右目で見ることは出来ない。逆も同様である。
【００２８】
変形において、カメラ１００が、反射プリズムの両側の、台１の正面部分２に装着される。
【００２９】
図6に示される別の変形において、装置は、反射プリズム７の代わりに、半反射プリズム２１を含むことが出来る。従って、カメラ１００は、半反射プリズム２１の後ろに配置される。
【００３０】
図7と8を参照して、及び第二実施形態において、本発明の装置は台３０を含み、その表面に、位置決め標識３１．ａ、３１．ｂが示され、この例において、各々は点によって形成される。位置を変更する矢印３２．ｂ、３２．ａは、それぞれに、各々の位置決め標識３１．ａ、３１．ｂの上に示される。位置を変更する矢印３２．ｂ、３２．ａは、水平であって、互いの乖離を示す。
【００３１】
フィルタ手段は、位置決め標識３１．ａ、３１．ｂと、及び位置を変える矢印３２．ａ、３２．ｂに割り当てられて広がるように、台３０に装着される。
【００３２】
フィルタ手段は、位置決め標識３１．ａの正面に配置される垂直の偏光プリズム３３．ａと、位置決め標識３１．ｂの正面に配置される水平の偏光プリズム３３．ｂとを包含する（偏光プリズムは、図8に断続線によって示される）。
【００３３】
フィルタ手段はまた、位置を変更する矢印３２．ａの正面に配置される垂直の偏光プリズム３４．ａと、位置を変更する矢印３２．ｂの正面に配置される水平の偏光プリズム３４．ｂとを包含する。
【００３４】
フィルタ手段はさらに、垂直の偏光プリズム３３．ａと水平の偏光プリズム３４．ｂとの正面に配置される垂直の偏光プリズム３５．ａ、及び水平の偏光プリズム３３．ｂと垂直の偏光プリズム３４．ａとの正面に配置される水平の偏光プリズム３５．ｂを包含する。二つの位置決めライン３７は、高さに関してユーザを位置決めするために、偏光プリズム３５．ａと３５．ｂ上に、水平に示される（原理は、第一実施形態のそれと同一である）。
【００３５】
隣接する偏光プリズムａとｂの組合せは、不透明な細長い形状３６によって分離される。
【００３６】
偏光プリズム３５．ａと３５．ｂは、それらの正面の偏光プリズムとは離間していて、以下のことをするために配置される。
・  ユーザが適切に配置（図9）される場合に、右目は、垂直の偏光プリズム３５．ａと３３．ａを介して、位置決め標識３１．ａを見て（位置を変える矢印３２．ａは、目の軸内に無いから、及び不透明な細長い形状３６の少なくとも一つのによって遮蔽されるから、見ることが出来ない。位置を変える矢印３２．ｂは、水平の偏光プリズム３４．ｂの陰になるから、見ることが出来ない。）、左目は、水平の偏光プリズム３５．ｂと３３．ｂを介して、位置決め標識３１．ｂを見る（位置を変える矢印３２．ｂは、目の軸内に無いから、及び不透明な細長い形状３６の少なくとも一つのによって遮蔽されるから、見ることが出来ない。位置を変える矢印３２．ａは、垂直の偏光プリズム３４．ａの陰になるから、見ることが出来ない。）。
・  ユーザが、右側にオフセットしている場合（図10）に、右目が、垂直の偏光プリズム３５．ａと３４．ａを介して、ユーザが左側に動くべきであることを指示する、位置を変える矢印３２．ａを見る。
・  ユーザが、左側にオフセットしている場合（図11）に、左目が、垂直の偏光プリズム３５．ｂと３４．ｂを介して、ユーザが右側に動くべきであることを指示する、位置を変える矢印３２．ｂを見る。
【００３７】
従って、偏光プリズム３４、３５は、ユーザの各々の目と対応する位置決め標識との間の二つの光路３７．ａと３７．ｂを、画定することが可能になる。光路は、ユーザの目に関して、互いに光学的に分離されている。
【００３８】
当然、本発明は、記述された実施形態に限定されず、また様々な実施形態が、請求の範囲に規定されるような本発明の領域を越えることなく、適用されるだろう。
【００３９】
詳細には、光路は、光学的手段によって、互いに光学的に分離されているけれども、記述された実施形態において、右目の位置決め標識を、左目で見ることを防止する、視覚的な障害物を形成する衝立のような物理的手段によって、光路を光学的に分離することが可能である。そして、逆もまた同様である。
【００４０】
位置決め標識又は位置を変える標識は、記述された形状以外の形状を有することが出来る。
【００４１】
記述されたタイプ以外のタイプの偏光プリズムが、使用できる。フィルタ手段はまた、左目に割り当てられて配置される、赤い光が通過できるフィルタ、及び右目に割り当てられて配置される、青い光が通過できるフィルタも包含でき、左目で見えるようになっている位置決め標識は、従って赤であり、右目で見えるようになっている位置決め標識は、従って青である。このように、赤い位置決め標識は、青い光が通過できるフィルタを介して、右目で見ることが出来ず、赤い光が通過できるフィルタを介して、左目で見ることが出来る。そして、逆もまた同様である。当然、その他の色も使用できるだろう。
【図面の簡単な説明】
【００４２】
【図１】図1は、本発明の第一実施形態を構成する位置決め装置の平面線図であり、前述の装置に関して、ユーザが正しく位置決めされている。
【図２】図2は、図1と同様の図であり、ユーザが誤って位置決めされている。
【図３】図3は、ユーザが適正に位置決めされた時に、ユーザによって見られる画像を示す。
【図４】図4は、ユーザが誤って位置決めされた時に、ユーザによって見られる画像を示す。
【図５】図5は、ユーザが誤って位置決めされた時に、ユーザによって見られる画像を示す。
【図６】図6は、図1と同様の図であり、第一実施形態の変形を構成する位置決め装置を示している。
【図７】図7は、図1と同様の図であり、本発明の第二実施形態を構成する位置決め装置を示し、ユーザが前述の装置に関して、正しく位置決めされている。
【図８】図8は、装置の部分立面線図である。
【図９】図9は、ユーザが適正に位置決めされた時に、ユーザによって見られる画像を示す。
【図１０】図10は、ユーザが誤って位置決めされた時に、ユーザによって見られる画像を示す。
【図１１】図11は、ユーザが誤って位置決めされた時に、ユーザによって見られる画像を示す。
【図１】
2007508610.tif 000003
【図２】
2007508610.tif 000004
【図３】
2007508610.tif 000005
【図４】
2007508610.tif 000006
【図５】
2007508610.tif 000007
【図６】
2007508610.tif 000008
【図７】
2007508610.tif 000009
【図８】
2007508610.tif 000010
【図９】
2007508610.tif 000011
【図１０】
2007508610.tif 000012
【図１１】
2007508610.tif 000013
【国際調査報告】
2007508610.tif 000014
2007508610.tif 000015
2007508610.tif 000016
2007508610.tif 000017